(57)【要約】      （修正有）【課題】設置スペースが少なくて済み、一般の電気器具に充電することも可能な電気自動車用充電スタンドを提供する。【解決手段】縦長のボックス形状を成したスタンド本体１０を設ける。該スタンド本体１０の内部に充電用のコンセント２０を装着する。スタンド本体１０の表面に表示体を設ける。２００Ｖ用と１００Ｖ用との２つのコンセント２０を設ける。スタンド本体１０に、コンセント２０を収納する収納部１１を形成する。該収納部１１に前記コンセント２０の差し込み口を斜め下向きにして設置する。収納部１１の前面に安全扉１２を設ける。表示体は、導光板又はデジタル・サイネージとする。【選択図】図２
0003183399.tif 000002
【実用新案登録請求の範囲】
【請求項１】
縦長のボックス形状を成したスタンド本体と、該スタンド本体の内部に装着された充電用のコンセントと、スタンド本体の表面に設けられた表示体とで構成され、充電用のコンセントは、２００Ｖ用と１００Ｖ用との２つのコンセントが設けられたことを特徴とする電気自動車用充電スタンド。
【請求項２】
前記スタンド本体は、前記コンセントを収納する収納部が形成され、該収納部に前記コンセントの差し込み口を斜め下向きにして設置されると共に、該収納部の前面を開口自在に施蓋する安全扉を設け、該安全扉が開いているとコンセントに電源が供給しないように構成した請求項１記載の電気自動車用充電スタンド。
【請求項３】
前記表示体は、ＬＥＤ光源により発光する導光板又はデジタル・サイネージにて構成された請求項１記載の電気自動車用充電スタンド。
【請求項４】
前記導光板は、端部に設けられたＬＥＤモジュールにより発光する発光面と、該発光面の裏側に設置された背面板とで構成された面発光用の導光板とする請求項３記載の電気自動車用充電スタンド。
【考案の詳細な説明】
【技術分野】
【０００１】
本考案は、電気自動車やプラグインハイブリッド車などに充電する充電機能に広告・宣伝機能を備えた電気自動車用充電スタンドに関するものである。
【背景技術】
【０００２】
電気自動車用の充電設備を活用して、省スペースで宣伝広告等の掲示を効率的に行うことができる掲示機能を備えた電気自動車充電スタンドが特許文献１に提案されている。この充電スタンドによると、２本の充電ポール間に掲示体を架設し、この掲示体の表面に広告情報部を表示可能に構成したものである。
【先行技術文献】
【特許文献】
【０００３】
【特許文献１】実用新案登録第３１６３７８３号公報
【考案の概要】
【考案が解決しようとする課題】
【０００４】
ところが、２本の充電ポール間に掲示体を架設するものでは、設置スペースが広くなり、その分、車両の駐車スペースが狭くなるという不都合があった。
【０００５】
更に、この種の充電器は、通常は電気自動車等の充電に使用されているが、災害時などの非常時において、携帯電話機等の充電器としても利用できるのが望ましい。ところが、従来の電気自動車用充電スタンドには充電用のスロットを設けているが、一般の１００Ｖ電源を充電する構成のものは提供されていなかった。
【０００６】
そこで本考案は、上述の課題を解消すべく案出されたもので、広告・宣伝機能を備えた電気自動車用充電スタンドにおいて、設置スペースが少なく、しかも、非常時には一般の電気器具に充電することも可能な電気自動車用充電スタンドの提供を目的とするものである。
【課題を解決するための手段】
【０００７】
上述の目的を達成すべく本考案における第１の手段は、縦長のボックス形状を成したスタンド本体１０と、該スタンド本体１０の内部に装着された充電用のコンセント２０と、スタンド本体１０の表面に設けられた表示体３０とで構成され、充電用のコンセント２０は、２００Ｖ用と１００Ｖ用との２つのコンセントが設けられたことにある。
【０００８】
第２の手段において、前記スタンド本体１０は、前記コンセント２０を収納する収納部１１が形成され、該収納部１１に前記コンセント２０の差し込み口を斜め下向きにして設置されると共に、該収納部１１の前面を開口自在に施蓋する安全扉１２を設け、該安全扉１２が開いているとコンセント２０に電源が供給しないように構成したものである。
【０００９】
第３の手段における前記表示体３０は、ＬＥＤ光源により発光する導光板３１、又はデジタル・サイネージにて構成されるものとする。
【００１０】
第４の手段の前記導光板３１は、端部に設けられたＬＥＤモジュール３２により発光する発光面３３と、該発光面３３の裏側に設置された背面板３４とで構成された面発光用の導光板３１とするものである。
【考案の効果】
【００１１】
請求項１のごとく、縦長のボックス形状を成したスタンド本体１０と、該スタンド本体１０の内部に装着された充電用のコンセント２０と、スタンド本体１０の表面に設けられた表示体３０とで構成されたことで、広告・宣伝機能を備えた電気自動車用充電スタンドにおいて、設置スペースが少なく、駐車スペースを広げることが可能になった。
【００１２】
また、充電用のコンセント２０として、１００Ｖ用と２００Ｖ用の２つのコンセントを設けたことで、電気自動車やプラグインハイブリッド車などの充電はもちろん、携帯電話やタブレットなどに充電することも可能になる。したがって、災害時など、非常時における充電器としても利用できるものである。
【００１３】
請求項２のように、スタンド本体１０に、コンセント２０を収納する収納部１１を形成し、収納部１１にコンセント２０の差し込み口を斜め下向きにして設置すると共に、該収納部１１の前面を開口自在に施蓋する安全扉１２を設け、該安全扉１２が開いているとコンセント２０に電源が供給しないように構成したことで、コンセント２０は確実に保護され、極めて安全な使用が確保できる。
【００１４】
請求項３のごとく、表示体３０として、ＬＥＤ光源により発光する導光板３１又はデジタル・サイネージを選択することで、極めて多様な宣伝・広告が可能になる。
【００１５】
請求項４のように、導光板３１は、端部に設けられたＬＥＤモジュール３２により発光する発光面３３と、該発光面３３の裏側に設置された背面板３４とで構成された面発光用の導光板３１とすることで、表示体３０を照明器具としての利用も可能になる。また、発光面３３に透光性の任意のフィルムなどを重合するだけで、安価な宣伝・広告が可能になるものである。
【図面の簡単な説明】
【００１６】
【図１】本考案充電スタンドの一実施例を示す斜視図である。
【図２】本考案充電スタンドの一実施例を示す側面図である。
【図３】本考案の導光板の一実施例を示す要部断面図である。
【考案を実施するための形態】
【００１７】
このように本考案によると、広告・宣伝機能を備えた電気自動車用充電スタンドにおいて、設置スペースが少なく、しかも、非常時には一般の電気器具に充電することも可能になるなどといった当初の目的を実現した。
【００１８】
以下、本考案の実施例を説明する。本考案の主要構成は、スタンド本体１０、コンセント２０、表示体３０にて構成される。
【００１９】
スタンド本体１０は、縦長のボックス形状を成したもので、スタンド本体１０の内部に充電用のコンセント２０が収納され、スタンド本体１０の表面に表示体３０が装着されている（図１参照）。
【００２０】
図示のスタンド本体１０は、コンセント２０を収納する収納部１１が形成され、正面に表示体３０を配置したものである。収納部１１には、差し込み口を斜め下向きにしたコンセント２０が設置されている。そして、この収納部１１の開口する前面に安全扉１２を開閉自在に設けて収納部１１の防水を施している。
【００２１】
この安全扉１２には鍵１３とリレーが設けられており、安全扉１２が開くとコンセント２０の電源が切れるように構成している。更に、収納部１１にはＬＥＤライトが別電源で設置され、安全扉１２が開くと点灯し、コンセント２０へのプラグＰ差し込み操作を容易にしている。そして、プラグＰをコンセント２０に差し込み、安全扉１２を閉めるとコンセント２０から充電が始まるようにすることで、充電時の安全性を高めている。このとき、プラグＰのコードＰ１は、安全扉１２の下部に設けた開口部１４から外に導引される（図２参照）。
【００２２】
コンセント２０は、電気自動車やプラグインハイブリッド車などの充電に使用する２００Ｖ用コンセント２１と、携帯電話やタブレットなどに充電する１００Ｖ用コンセント２２とが併設されている。コンセント２０の種類として、例えば、単相３線ＥＬＢを有する相間１００Ｖ用コンセント２０や線間２００Ｖ用のコンセント２０など、任意に変更することが可能である。
【００２３】
表示体３０は、ＬＥＤ光源により発光する導光板３１やデジタル・サイネージ（図示せず）にて構成される。
【００２４】
この導光板３１として、端部に設けられたＬＥＤモジュール３２により発光する発光面３３と、該発光面３３の裏側に設置された背面板３４とで構成された面発光用の導光板３１を使用することで、発光面３３に透光性の任意のフィルムなどを重合するだけで安価な宣伝・広告が可能になる（図３参照）。また、照明器具としての利用も可能になる。
【００２５】
一方、表示体３０としてデジタル・サイネージを使用すると、設置場所の地域性を考慮した広告や、通信ネットワークを使って広告内容を随時配信・変更が可能である。
【００２６】
尚、本考案は前記実施例に限定されることなく、本考案の要旨を逸脱しない範囲内での設計変更等は自由に行えるものである。
【符号の説明】
【００２７】
Ｐ  プラグ
１０  スタンド本体
１１  収納部
１２  安全扉
１３  鍵
１４  開口部
２０  コンセント
２１  ２００Ｖ用コンセント
２２  １００Ｖ用コンセント
３０  表示体
３１  導光板
３２  ＬＥＤモジュール
３３  発光面
３１  導光板
３２  ＬＥＤモジュール
３３  発光面
３４  背面板
【図１】
0003183399.tif 000003
【図２】
0003183399.tif 000004
【図３】
0003183399.tif 000005